(57)【特許請求の範囲】
【請求項１】
ソケット構造を有する電子式電力量計のユニットケースにユニットを着脱するための着脱装置であって、
門形の支柱と、該支柱をユニットケースに固定するための固定手段と、前記ユニットの係止部に係止可能な引抜フックと、該引抜フックを前記支柱の中心軸方向に移動させる引抜フック移動手段と、前記ユニットをユニットケースに押し込む押え板とを備え、
前記支柱に、前記ユニットとその厚さ方向に隣接する位置に配置可能なガイド板と、前記ユニットをユニットケースに押し込む方向に付勢するばねとが設けられ、
前記押え板は、引抜フックと一体に設けられたことを特徴とする電子式電力量計用ユニットの着脱装置。
【請求項２】
前記固定手段は、ユニットケースの開口縁に接触する支柱の先端縁と、ユニットケースの開口内側に差し込み可能に支柱の先端部から突出する差し込み板部と、ユニットケースの開口縁から外向きに突出する鍔に係止可能な固定爪とからなることを特徴とする請求項１に記載の電子式電力量計用ユニットの着脱装置。
【請求項３】
前記引抜フックは、支柱に対して揺動自在に設けられると共に、ユニットの係止部に係止する方向に弾性的に付勢され、当該引抜フックに、前記係止部に向けて押し込まれることにより、前記係止部に対してスライドしながら、当該引抜フックを付勢力に抗して揺動させる傾斜面が形成されたことを特徴とする請求項１又は２に記載の電子式電力量計用ユニットの着脱装置。
【発明の詳細な説明】
【技術分野】
【０００１】
本発明は、ソケット構造を有する電子式電力量計のユニットケースにユニットを着脱するための着脱装置に関するものである。
【背景技術】
【０００２】
従来、需用家が使用する電力量を計量するための電力量計として、ユニット型の電子式電力量計が知られている（例えば特許文献１）。
【０００３】
特許文献１の電子式電力量計は、ソケット構造によってユニット接合部１０１に通信端局ユニット１０２、電力量計ユニット１０３及び開閉器ユニット１０４を装着して構成される。また、各ユニット１０２、１０３、１０４は、そのネジ孔付きフランジ部１０５をユニット接合部１０１のネジ孔部１０６に位置合わせされてネジ止め固定される（図１１、図１２参照）。
【先行技術文献】
【特許文献】
【０００４】
【特許文献１】特開２００６−１７０７８７号公報（段落番号００２５、００４２、図１、図５）
【発明の概要】
【発明が解決しようとする課題】
【０００５】
ところで、各ユニットは、その耐用期間に応じて交換する必要があり、その交換の際には、ユニット固定用のネジを完全に緩めた状態で、各ユニットに梃子式の工具を係合させるなどしてユニット接合部から引き抜くことになる。
【０００６】
ただ、工具を用いてユニットを引き抜く際に、その引抜力が偏心して作用すると、ユニットが傾いて、取り外すユニット及びユニット接合部のソケットのピンを破壊するおそれがある。また、ユニットが外れた瞬間に、工具を保持したままユニットをも保持する必要があり、しかも、脚立の上などで作業することが多いことから、取り外したユニットを落下させるおそれがある。
【０００７】
また、電子式電力量計が垂直な壁面に設置されることが多いことから、ユニットを着脱するには、力を加えにくい水平方向に、ある程度の力を加える必要がある。しかも、各ユニットに衝撃を加えることができないので、ハンマーなどを用いて打ち込むこともできず、ユニットの着脱が難しくなりやすい。
【０００８】
本発明は、ユニットの損傷や落下を防止しつつ、確実に着脱することのできる電子式電力量計用ユニットの着脱装置の提供を目的とする。
【課題を解決するための手段】
【０００９】
上記目的を達成するために、本発明に係る電子式電力量計用ユニットの着脱装置は、ソケット構造を有する電子式電力量計のユニットケースにユニットを着脱するためのものであり、門形の支柱と、該支柱をユニットケースに固定するための固定手段と、前記ユニットの係止部に係止可能な引抜フックと、該引抜フックを前記支柱の中心軸方向に移動させる引抜フック移動手段と、前記ユニットをユニットケースに押し込む押え板とを備え、前記支柱に、前記ユニットとその厚さ方向に隣接する位置に配置可能なガイド板と、前記ユニットをユニットケースに押し込む方向に付勢するばねとが設けられ、前記押え板は、引抜フックと一体に設けられたことを特徴とする。
【００１０】
上記構成によれば、ガイド板をユニットに隣接させて配置することができるので、ユニットを引き抜く際、ガイド板により、ユニットが引抜力の偏心によって倒れるのを阻止することができる。また、着脱装置をセットする際、ガイド板をユニットに沿わせて着脱装置を位置決めすることができ、しかも、ガイド板と引抜フックとが協働して、着脱するユニットを保持することができる。
【００１１】
しかも、ユニットをユニットケースに押し込む押え板を備え、この押え板と引抜フックとを一体に設けるので、ユニットを装着する際に、押え板でユニットを押し込むと共に、ユニットを取り外す際に、引抜フックでユニットを引き抜くことができ、一つの着脱装置をユニットの押し込み及び引き抜きに兼用することができる。
【００１２】
さらに、ばねがユニットをユニットケースに押し込む方向に付勢するので、ユニットの係止部に引抜フックをより強く係止させることができ、ユニットを着脱装置と一体化するように確実に保持して、ユニットの落下を防止することができる。つまり、例えば厚さの薄いユニットは、ガイド板と引抜フックとで保持しようとしても、厚さが薄い分、ガタつきを生じやすいが、ばねで付勢することにより、ユニットを引き抜く引抜フックにユニットの係止部がより強く係止されるので、厚さの薄いユニットであっても、ガタつきを生じることなく保持することができる。
【００１３】
また、前記ガイド板に、前記押え板を視認するための窓穴が設けられ、該窓穴の側縁部に、前記支柱の中心軸方向における前記押え板の位置を示す目盛が設けられたことを特徴とする構成も採用可能である。
【００１４】
この構成によれば、ガイド板の窓穴から視認される押え板を窓穴の側縁部の目盛に合わせて位置決めすることができる。これにより、複数種類の電子式電力量計が存在する場合であっても、その種類に対応させて押え板の位置を設定することができ、共通の着脱装置を用いて複数の種類の電子式電力量計にユニットを着脱することができる。
【００１５】
また、引抜フックを移動させる引抜フック移動手段について、前記引抜フック移動手段は、ギヤ機構とされたことを特徴とする構成も採用可能である。
【００１６】
この構成によれば、例えば門形支柱の幅方向両側に設けた２つの引抜フックを簡単な機構によって連動させて同時に移動させることができ、ユニットの幅方向両側に引抜フックを係止して、安定して引き抜くことができる。なお、引抜フック移動手段としては、レバーや、チェーン、ベルト、リンク機構を用いたものなど、どのようなものであってもよく、個々の引抜フック毎に、あるいは複数の引抜フックを連動させて移動させることができる。
【００１７】
また、前記固定手段は、ユニットケースの開口縁に接触する支柱の先端縁と、ユニットケースの開口内側に差し込み可能に支柱の先端部から突出する差し込み板部と、ユニットケースの開口縁から外向きに突出する鍔に係止可能な固定爪とからなることを特徴とする構成も採用可能である。
【００１８】
この構成によれば、支柱の先端縁と差し込み板部と固定爪との三方締めにより、支柱をユニットケースに確実に固定することができる。
【００１９】
また、前記引抜フックは、支柱に対して揺動自在に設けられると共に、ユニットの係止部に係止する方向に弾性的に付勢され、当該引抜フックに、前記係止部に向けて押し込まれることにより、前記係止部に対してスライドしながら、当該引抜フックを付勢力に抗して揺動させる傾斜面が形成されたことを特徴とする構成も採用可能である。
【００２０】
この構成によれば、揺動自在な引抜フックを弾性的に付勢すると共に、引抜フックに傾斜面を形成するので、引抜フックは、一旦、係止部に対する傾斜面のスライドに伴って付勢力に抗して揺動した後、付勢力によって係止部に係止する。これにより、着脱装置を傾けることなくユニットケースに真っ直ぐに押し込んで装着するだけで、自動的に引抜フックを係止部に係止することができ、しかも、その係止状態を付勢力によって維持することができる。
【００２１】
また、前記支柱は、本体ベースの両側にスタンドをヒンジ結合してなる門形に構成され、両スタンドの先端部の間隔を所定の範囲内で調節可能なよう、前記ガイド板及び前記スタンドのうち、一方に長孔が形成され、他方に前記長孔に挿入される突起が設けられたことを特徴とする構成も採用可能である。
【００２２】
この構成によれば、ガイド板及びスタンドのうちの一方に長孔を形成して、他方に設けた突起を挿入するので、その突起を長孔の長径方向に移動させながら、両スタンドを本体ベースとのヒンジ結合部を揺動軸として揺動させることができる。これにより、ユニットケースの幅の大きさに応じて、両スタンドの先端部の間隔を調節することができ、一種類の着脱装置を、大きさが異なる複数種類のユニットケースへのユニットの着脱に用いることができる。
【００２３】
さらに、前記ユニットケースは、電子式電力量計ボックスの前面側が開放された容器状のボックス本体に収容され、前記支柱は、両側のスタンドを前記ボックス本体に収容可能な大きさに設定されたことを特徴とする構成も採用可能である。
【００２４】
この構成によれば、支柱の両側のスタンドをボックス本体に収容可能な大きさに設定するので、ユニットケースの外側のボックスが着脱装置の設置の邪魔になるのを防止することができる。ここで、支柱の両側のスタンドをボックス本体に収容可能な大きさに設定するには、両スタンドの外面間距離をボックス本体の内面間の幅よりも小さく設定すればよく、さらに、スタンドの外面に着脱装置の操作用の突起がある場合には、その操作用の突起の位置をボックス本体の深さよりも高い位置に設ければよい。
【発明の効果】
【００２５】
以上のとおり、本発明によると、ユニットケースに固定する門形の支柱に、ユニットと隣接する位置に配置可能なガイド板を設けるようにしている。これにより、ガイド板により、着脱装置を位置決めすると共に、ユニットが傾くことによる損傷を防止することができ、しかも、ガイド板と引抜フックとが協働してユニットを保持するので、ユニットの損傷や落下を防止しつつ、ユニットを確実に着脱することができる。
【図面の簡単な説明】
【００２６】
【図１】本発明に係る電子式電力量計用ユニットの着脱装置の斜視図
【図２】着脱装置の正面図
【図３】着脱装置の平面図
【図４】着脱装置の側面図
【図５】ユニット型の電子式電力量計の斜視図
【図６】ユニット型の電子式電力量計に装着した着脱装置の斜視図
【図７】ユニット型の電子式電力量計に装着した着脱装置の要部断面図
【図８】支柱先端部とユニットケースとの固定状態を示す模式図
【図９】引抜フックの模式図
【図１０】ギヤ機構の斜視図
【図１１】従来技術が示すユニット型の電子式電力量計の正面図
【図１２】従来技術が示す電子式電力量計用ユニットの斜視図
【発明を実施するための形態】
【００２７】
以下、本発明に係る電子式電力量計用ユニットの着脱装置を実施するための形態について、図面を用いて説明する。
【００２８】
図１〜図４に示すように、着脱装置１は、ソケット構造を有するユニット型の電子式電力量計２のユニットケース３にユニット４を着脱するためのものであり、門形の支柱５と、支柱５をユニットケース３に固定するための固定手段６と、ユニット４の係止部７に係止可能な引抜フック８と、引抜フック８と一体に設けられてユニットケース３にユニット４を押し込む押え板９と、引抜フック８を支柱５の中心軸方向に移動させる引抜フック移動手段としてのギヤ機構１０と、ユニット４を保持するためのホールド用ばね１１とを備え、その支柱５に、ユニット４とその厚さ方向に隣接する位置に配置可能なガイド板１２が設けられている。
【００２９】
図５、図６に示すように、電子式電力量計２は、ソケット構造を介して、ユニットケース３に、通信ユニット４ａ、電力量計測ユニット４ｂ及び開閉器ユニット４ｃなどのユニット４を装着した構成とされ、例えば１０年程度の使用期間で各ユニット４が定期的に交換される。
【００３０】
ユニットケース３は、例えば鉄板を前面側が開口された容器状に形成してなり、その開口縁に、外向きに突出する鍔１３が形成されている。このユニットケース３は、前面側が開放された容器状のボックス本体３ａを備えた電子式電力量計ボックスに収容されている（図７参照）。
【００３１】
各ユニット４は、幅方向両側の基端部がユニット固定用ねじ１４によってユニットケース３に固定され、そのねじ孔の近傍に係止部７が形成されている。
【００３２】
支柱５は、断面コ字型の本体ベース１５の両側に断面コ字型のスタンド１６をヒンジ結合してなる門形に構成されている。支柱５の両スタンド１６は、その外面間距離（Ｂ）を例えば１９０ｍｍ以下に設定すると共に、固定爪１８（後述）の爪部１９（後述）からの固定爪操作ノブ２１（後述）の高さ（Ｈ）を例えば６５ｍｍ以上に設定することにより、ボックス本体３ａに収容可能とされている。
【００３３】
本体ベース１５の正面側には、ねじ１２ａによってガイド板１２が固定され、このガイド板１２に形成された長孔１２ｂに、スタンド１６に設けられた突起としてのねじ１６ａが挿入されている。これにより、ねじ１６ａを長孔１２ｂの長径方向に移動させながら、両スタンド１６を本体ベースとのヒンジ結合部を揺動軸として揺動させることができ、ユニットケース３の幅の大きさに応じて、両スタンド１６の先端部の間隔を所定の範囲内で調節可能とされている。
【００３４】
図７、図８に示すように、固定手段６は、ユニットケース３の開口縁に接触する支柱５のスタンド１６の先端縁１６ａと、ユニットケース３の開口内側に差し込み可能にスタンド１６の先端部内側から突出する差し込み板部１７と、ユニットケース３の開口縁の鍔１３に係合可能な固定爪１８とからなり、これらの三方締めにより、支柱５をユニットケース３に強固に固定するようになっている。
【００３５】
固定爪１８は、断面コ字型のスタンド１６の内部に揺動自在に設けられ、先端の爪部１９の近傍に設けられた圧縮ばね２０によって、爪部１９がユニットケース３の鍔１３から離れて係合を解除する方向に付勢されている。
【００３６】
固定爪１８の基端側は、スタンド１６の基端付近に設けられた固定爪操作ノブ２１の先端に連結され、固定爪操作ノブ２１を回転操作して固定爪１８を揺動させることにより、鍔１３に対して爪部１９が係脱自在とされる。なお、鍔１３と爪部１９との係合は、スタンド１６に形成された窓２２から確認できるようになっている。また、固定爪操作ノブ２１とスタンド１６との間には、皿ばね２３が介装され、固定爪操作ノブ２１の緩みを防止する。
【００３７】
図９に示すように、引抜フック８は、引抜フック支持体２４の背面側に揺動自在に設けられ、その先端側のフック部２５がユニット４の係止部７に背面側から係止するよう、引抜フック８の基端側が圧縮ばね２６によって付勢されている。引抜フック支持体２４は、ギヤ機構１０によって移動自在とされ、引抜フック支持体２４が引抜フック８と共に支柱５の基端側に移動することにより、ユニット４を引き抜くようになっている。
【００３８】
フック部２５の先端面は傾斜面とされ、着脱装置１を押し込んで装着することにより、一旦、フック部２５の先端面がユニット４の係止部７に対してスライドしながら、圧縮ばね２６の付勢力に抗して引抜フック８が揺動して、その後、圧縮ばね２６の付勢力によって自動的にフック部２５が係止するようになっている。
【００３９】
押え板９は、支柱５の基端側の本体ベース１５に対向する側が開放されたコ字形板とされ、両側の引抜フック支持体２４の基端側の面に掛け渡されている。この押え板９は、引抜フック支持体２４が支柱５の先端側に移動することにより、ユニット４を押し込むようになっている。
【００４０】
図１０に示すように、ギヤ機構１０は、互いに噛み合う複数のギヤ２７ａ、２７ｂ、２７ｃ、２７ｄ、２７ｅと、引抜フック支持体２４の基端側に突設されたねじ２８とからなり、両端のギヤ２７ａ、２７ｅにねじ２８が螺合されている。
【００４１】
ギヤ２７ａ、２７ｂ、２７ｃ、２７ｄ、２７ｅは、支柱５の本体ベース１５にボールベアリングなどを介して回転自在に支持されると共に、本体ベース１５よりも基端側のギヤボックス２９で覆い隠され、ギヤボックス２９から基端側に突出する引き押し操作ノブ３０を回転操作して中央のギヤ２７ｃを回転させるようになっている。中央のギヤ２７ｃを回転させることにより、両端のギヤ２７ａ、２７ｅが回転し、これに螺合されたねじ２８の移動に伴って、両側の引抜フック支持体２４が連動して支柱５の中心軸方向に移動するようになっている。
【００４２】
ホールド用ばね１１は、支柱５の本体ベース１５に、ギヤ２７ｂ、２７ｄの軸を取り囲むように設けられ、その先端部が押え板９を貫通自在とされている。このホールド用ばね１１は、押え板９を貫通した状態で、ユニット４をユニットケース３に押し込む方向に付勢し、引抜フック８のフック部２４とでユニット４を挟持するようになっている。
【００４３】
ガイド板１２は、着脱装置１をセットする際の位置決めとなるよう、ユニット４同士の隙間に挿入可能な厚さの板とされ、支柱５の本体ベース１５の正面側にねじ止めされる。このガイド板１２は、ユニット４の正面側に位置して、ユニット４の係止部７に背面側から係止した引抜フック８からユニット４が外れるのを阻止すると共に、ユニット４を引き抜くときの引抜力の偏心によってユニット４が倒れるのを阻止する倒れ止めとして機能する。また、ガイド板１２には、押え板９を視認するための窓穴１２ｃが形成され、この窓穴１２ｃの側縁部に、支柱５の中心軸方向における押え板９の位置を示して、引抜フック８のセット位置を決めるための目盛ライン１２ｄが設けられている。
【００４４】
次に、着脱装置を用いてユニットケースからユニットを取り外す手順を説明する。まず、ユニット４のユニット固定用ねじ１４を完全に緩めると共に、着脱装置１の引き押し操作ノブ３０を回して、ガイド板１２の目盛ライン１２ｄのうちのユニット４を取り外す電子式電力量計２に対応するラインに、押え板９に設けられた指示線を合わせる。
【００４５】
次いで、ガイド板１２が正面側となるよう着脱装置１を配置し、着脱装置１の中心をユニットケース３の中心に合わせつつ、ガイド板１２をユニット４間の隙間に挿入して着脱装置１を位置決めし、ユニットケース３の開口内側とユニット４との隙間に、スタンド１６の先端の差し込み板部１７を差し込む。これにより、スタンド１６の先端縁１６ａがユニットケース３の開口縁に接触すると共に、引抜フック８のフック部２５の先端面がユニット４の係止部７に対してスライドしながら、引抜フック８が揺動して、自動的に係止部７に引抜フック８が係止する。
【００４６】
左右の固定爪操作ノブ２１を回転操作し、左右の固定爪１８を圧縮ばね２０の付勢力に抗して揺動させて、その爪部１９をユニットケース３の開口縁の鍔１３に外側から係合させる。これにより、差し込み板部１７、スタンド１６の先端縁１６ａ、及び爪部１９による三方締めによって、支柱５の両側のスタンド１６をユニットケース３に強固に固定する。
【００４７】
引き押し操作ノブ３０を回して両側の引抜フック８を支柱５の中心軸方向で基端側に移動させ、ガイド板１２で、引抜力の偏心によるユニット４の傾きを阻止しつつ、ユニット４を引き抜く。引抜フック８を移動させるのに伴って、引抜フック８と一体に移動する押え板９からホールド用ばね１１が突出し、このホールド用ばね１１と引抜フック８及びガイド板１２によってユニット４が保持される。
【００４８】
その後、左右の固定爪操作ノブ２１を緩めて、着脱装置１と共にユニット４を取り外し、例えば安定した台の上などで、引抜フック８の基端側を押して揺動させて、係止部７への引抜フック８の係止を解除し、着脱装置１からユニット４を取り外す。
【００４９】
次に、着脱装置を用いてユニットケースにユニットを取り付ける手順を説明する。まず、着脱装置１の引き押し操作ノブ３０を回して、引抜フック８及び押え板９を支柱５の中心軸方向で基端側に移動させ、押え板９からホールド用ばね１１を突出させる。
【００５０】
次いで、ガイド板１２が正面側となるよう着脱装置１を配置し、ホールド用ばね１１を押し返すようにして、ユニット４をガイド板１２に沿わせて押し込むことにより、引抜フック８を自動的に揺動させてユニット４の係止部７に係止する。
【００５１】
着脱装置１をユニットケース３の所定の位置に配置し、スタンド１６の先端の差し込み板部１７をユニットケース３の開口内側に差し込んで、スタンド１６の先端縁１６ａをユニットケース３の開口縁に接触させる。さらに、着脱装置１を片手で押し支えたまま、左右の固定爪操作ノブ２１を回転操作して左右の固定爪１８をユニットケース３の鍔１３に係合させることにより、支柱５の両側のスタンド１６をユニットケース３に強固に固定する。
【００５２】
引き押し操作ノブ３０を回転操作して、手応えがあるまで押え板９を支柱５の中心軸方向で先端側に移動させることにより、ユニット４を押え板９でユニットケース３に押し込んで装着する。
【００５３】
その後、引き押し操作ノブ３０を反対方向に回転させて、固定爪１８に作用する反力を軽減させ、左右の固定爪操作ノブ２１を回転操作して、固定爪１８をユニットケース３の鍔１３から外す。左右の引抜フック８の基部を指で押えて、ユニット４の係止部７への引抜フック８の係止を解除し、ユニットケース３及びユニット４から着脱装置１を取り外して、ユニット４の取り付けが完了する。
【００５４】
上記構成によれば、引き押し操作ノブ３０を回転操作するだけで、ユニット４を引き抜き又は押し込むことができるので、例えば取付高さが約２ｍの梯子、脚立上での高所作業であっても、さらに、狭い隣家屋との間に設置されて作業間隔が限定される場合であっても、ユニット４を容易に着脱することができる。また、一つの着脱装置１によって、ユニット４の引き抜き及び押し込みを行うことができ、簡単な操作により、短時間でユニット４を交換することができる。
【００５５】
また、ユニットケース３を設置することの多いＬ字型ブラケットは、ユニット４を着脱するのに加える力に対する強度が不十分になりやすいが、ユニットケース３に着脱装置１の支柱５を固定してユニット４を着脱するので、Ｌ字型ブラケットを破損させることなく、ユニット４を着脱することができる。
【００５６】
なお、本発明は、上記の実施の形態に限定されるものではなく、本発明の範囲内において、適宜変更を加えることができる。例えば、引抜フック８を支柱５の中心軸方向に移動させる引抜フック移動手段としては、ベルトやチェーン、リンク機構など、ギヤ機構１０以外にも種々の機構を用いることができる。また、ホールド用ばね１１を設けることなく、引抜フック８とガイド板１２とでユニット４を保持することもできる。
【符号の説明】
【００５７】
１      着脱装置
２      電子式電力量計
３      ユニットケース
３ａ    ボックス本体
４      ユニット
５      支柱
６      固定手段
７      係止部
８      引抜フック
９      押え板
１０    ギヤ機構
１１    ホールド用ばね
１２    ガイド板
１２ｂ  長孔
１２ｃ  窓穴
１２ｄ  目盛ライン
１３    鍔
１５    本体ベース
１６    スタンド
１６ａ  ねじ
１７    差し込み板部
１８    固定爪
【図１】
0005524784.tif 000002
【図２】
0005524784.tif 000003
【図３】
0005524784.tif 000004
【図４】
0005524784.tif 000005
【図５】
0005524784.tif 000006
【図６】
0005524784.tif 000007
【図７】
0005524784.tif 000008
【図８】
0005524784.tif 000009
【図９】
0005524784.tif 000010
【図１０】
0005524784.tif 000011
【図１１】
0005524784.tif 000012
【図１２】
0005524784.tif 000013